(57)【要約】【課題】  指向性の範囲が広く、あらゆる方向からの放送電波に対して受信感度が良好なラジオ付液晶表示装置を提供する。 【解決手段】  アンテナ端子２２に接続されたリ−ド線２７の先端部が、取付金具２８により金属ケ−ス２０ｃの周面に固定されることにより、アンテナ端子２２と金属ケ−ス２０ｃとが接続されているため、金属ケ−ス２０ｃによりテレビジョン放送電波やＦＭラジオ放送電波を受信することができる。すなわち、金属ケ−ス２０ｃをアンテナとして代用することが可能となるのである。さらに、金属ケ−ス２０ｃは、液晶パネル２０ａの周面全体に設けられているため、液晶パネル２０ａの周囲の全方向に指向性を持たせることが可能となる。その結果、あらゆる方向からの放送電波に対して受信感度が良好となる。【選択図】図４
2006093847.tif 000002
【特許請求の範囲】
【請求項１】
映像が表示される液晶表示部と、音声が出力されるスピ−カと、テレビジョン放送電波に基づく映像を上記表示部に表示させる処理を行うテレビ部と、ＦＭラジオ放送電波に基づく音声を上記スピ−カに出力される処理を行うラジオ部と、上記テレビ部および／またはラジオ部に接続されたアンテナ端子とを具備するラジオ付液晶表示装置において、
上記液晶表示部は、少なくとも液晶パネルの周面を被覆するように設けられた金属ケ−スと、
上記液晶パネルの背面側を被覆する金属製の裏面シャ−シと、
上記金属ケ−スと上記裏面シャ−シとを絶縁する絶縁部材とを具備し、
上記アンテナ端子は、上記金属ケ−スに接続されていることを特徴とするラジオ付液晶表示装置。
【請求項２】
映像が表示される液晶表示部と、音声が出力されるスピ−カと、テレビジョン放送電波に基づく映像を上記液晶表示部に表示させる処理を行うテレビ部と、ラジオ放送電波に基づく音声を上記スピ−カに出力させる処理を行うラジオ部と、上記テレビ部および／または上記ラジオ部に接続されたアンテナ端子とを具備するラジオ付液晶表示装置において、
上記液晶表示部は、少なくとも液晶パネルの周面を被覆するように設けられた金属ケ−スを具備し、
上記アンテナ端子は、上記金属ケ−スに接続されていることを特徴とするラジオ付液晶表示装置。
【請求項３】
上記液晶パネルの背面側を被覆する金属製の裏面シャ−シを具備することを特徴とする請求項２に記載のラジオ付液晶表示装置。
【請求項４】
上記金属ケ−スと他の金属部材とを絶縁する絶縁部材を具備することを特徴とする請求項２または３に記載のラジオ付液晶表示装置。
【請求項５】
上記ラジオ部は、上記アンテナにより受信されるＦＭラジオ放送電波に基づく音声を上記スピ−カに出力させることを特徴とする請求項２〜４のいずれか１に記載のラジオ付液晶表示装置。
【発明の詳細な説明】
【技術分野】
【０００１】
本発明は、テレビジョン放送の受信とラジオ放送の受信とを行うことが可能なラジオ付液晶表示装置に関するものである。
【背景技術】
【０００２】
従来、放送電波を受信して映像や音声を出力する受信装置を構成する金属部品にアンテナ端子を接続し、同金属部品をアンテナとして代用するように構成された受信装置が知られている（例えば、特許文献１〜４参照）。このような受信装置によれば、棒状アンテナ等のアンテナが不要となり、製造コストを低減させることが可能となる。
【特許文献１】特開昭６３−０３３０１６号公報
【特許文献２】特開平６−１７８２３３号公報
【特許文献３】特開平９−１５３７２６号公報
【特許文献４】特開２００３−０６０４２２号公報
【発明の開示】
【発明が解決しようとする課題】
【０００３】
しかしながら、上述した特許文献１〜４に記載の受信装置では、指向性が偏っており、あらゆる方向からの放送電波に対して優れた受信感度を有するものではなかった。また、特許文献２に記載の受信装置は、ブラウン管を具備するＣＲＴテレビジョン受像機であるため、ブラウン管の近傍にアンテナとしての金属部品を配置した場合には、アンテナからの磁界により表示画像が影響を受けてしまうという問題があった。
【０００４】
本発明は、かかる実情に鑑み、指向性の範囲が広く、あらゆる方向からの放送電波に対して受信感度が良好なラジオ付液晶表示装置を提供しようとするものである。
【課題を解決するための手段】
【０００５】
上記目的を達成するため、請求項２にかかる発明は、映像が表示される液晶表示部と、音声が出力されるスピ−カと、テレビジョン放送電波に基づく映像を上記液晶表示部に表示させる処理を行うテレビ部と、ラジオ放送電波に基づく音声を上記スピ−カに出力させる処理を行うラジオ部と、上記テレビ部および／または上記ラジオ部に接続されたアンテナ端子とを具備するラジオ付液晶表示装置において、
上記液晶表示部は、少なくとも液晶パネルの周面を被覆するように設けられた金属ケ−スを具備し、
上記アンテナ端子は、上記金属ケ−スに接続されている構成としてある。
【０００６】
上記のように構成した請求項２において、ラジオ付液晶表示装置は、映像が表示される液晶表示部と、音声が出力されるスピ−カと、テレビジョン放送電波に基づく映像を上記液晶表示部に表示させる処理を行うテレビ部と、ラジオ放送電波に基づく音声を上記スピ−カに出力させるラジオ部と、上記テレビ部および／または上記ラジオ部に接続されたアンテナ端子とを具備している。また、上記液晶表示部は、少なくとも液晶パネルの周面を被覆するように設けられた金属ケ−スを具備している。
【０００７】
そして、請求項２にかかるラジオ付液晶表示装置では、上記アンテナ端子が、上記金属ケ−スに接続されている。このように構成することにより、上記アンテナ端子に接続された上記金属ケ−スをアンテナとして代用することが可能となる。さらに、上記金属ケ−スは、液晶パネルの周面全体に設けられているため、液晶パネルの周囲の全方向に指向性を有することとなる。その結果、あらゆる方向からの放送電波に対して受信感度が良好なラジオ付液晶表示装置とすることが可能となる。
【０００８】
また、請求項３にかかる発明は、上記液晶パネルの背面側を被覆する金属製の裏面シャ−シを具備する構成としてある。
上記のように構成した請求項３において、液晶パネルの周囲の全方向のみならず、後方側にも指向性を持たせることが可能となる。
【０００９】
また、請求項４にかかる発明は、上記金属ケ−スと他の金属部材と絶縁する絶縁部材を具備する構成としてある。
上記のように構成した請求項４において、上記金属ケ−スのみをアンテナとして代用させることが可能となる。
【００１０】
また、請求項５にかかる発明は、上記ラジオ部が、上記アンテナにより受信されるＦＭラジオ放送電波に基づく音声を上記スピ−カに出力させる構成としてある。
上記のように構成した請求項５において、高品質のラジオ放送を出力することが可能となる。
【発明の効果】
【００１１】
本発明の請求項２にかかる発明では、あらゆる方向からの放送電波に対して受信感度が良好なラジオ付液晶表示装置とすることが可能となる。
請求項３にかかる発明では、液晶パネルの周囲の全方向のみならず、後方側にも指向性を持たせることが可能となる。
請求項４にかかる発明では、上記金属ケ−スのみをアンテナとして代用させることが可能となる。
請求項５にかかる発明では、高品質のラジオ放送を出力することが可能となる。
【発明を実施するための最良の形態】
【００１２】
ここでは、下記の順序に従って本発明の実施の形態について説明する。
（１）第１実施形態：
（２）第２実施形態：
（３）各種変形例：
（４）まとめ：
【００１３】
（１）第１実施形態：
以下、本発明の第１実施形態について図面に基づいて説明する。
図１は、第１実施形態にかかるラジオ付液晶表示装置を模式的に示す外観図である。同図において、ラジオ付液晶表示装置１０の本体の前面側を示しており、後述する液晶表示部２０（図示せず）の表示画面１１が略中央に設けられている。
【００１４】
また、本体の右側には、上から順に、スピ−カ１６、選局スイッチ１２、チュ−ナ切替スイッチ１３、ボリュ−ムスイッチ１４がそれぞれ設けられている。スピ−カ１６は、テレビジョン放送電波、または、ＦＭラジオ放送電波の受信中に、放送電波に基づく音声を出力するためのものである。また、選局スイッチ１２は、テレビジョン放送またはＦＭラジオ放送の受信中に選局を行うためのものである。また、チュ−ナ切替スイッチ１３は、テレビジョン放送およびＦＭラジオ放送のいずれか一方を受信する切替を行うためのものである。さらに、ボリュ−ムスイッチ１４は、スピ−カ１６から出力される音量を調節するためのものである。なお、上述した選局スイッチ１２、チュ−ナ切替スイッチ１３およびボリュ−ムスイッチ１４を総じてスイッチ部１５ということとする。
【００１５】
図２は、図１に示したラジオ付液晶表示装置の概略構成を示すブロック図である。同図において、ラジオ付液晶表示装置１０は、アンテナ端子２２に接続された金属ケ−ス２０ｂを具備している。この金属ケ−ス２０ｂは、詳しくは後に図面（図４）を用いて説明するが、液晶表示部２０を構成するものであり、液晶表示部２０における液晶パネル２０ａ（図示せず）の周面を被覆するように設けられるものである。第１実施形態にかかるラジオ付液晶表示装置１０では、アンテナ端子２２に接続された金属ケ−ス２０ｂがアンテナとして機能するのである。アンテナとしての金属ケ−ス２０ｂから受信したテレビジョン放送電波は、アンテナ端子２２を介して、テレビ部２４を構成するテレビチュ−ナ２４ａに供給される。テレビチュ−ナ２４ａでは、後述するマイクロコンピュ−タ２３からの選局制御信号を受けて、入力されたテレビジョン放送電波から所望の周波数帯の放送電波を抽出することにより、複数の受信チャンネルのなかから一の受信チャネルを選択する。
【００１６】
テレビチュ−ナ２４ａの出力は、テレビ部２４を構成する映像再生回路２４ｂに供給される。映像再生回路２４ｂは、アナログＩ／Ｆ、復調回路、ＮＴＳＣデコ−ダ等を含み、テレビチュ−ナ２４ｂから入力された映像信号に対して各種の処理を行う。映像再生回路２４ｂにて処理が行われた映像信号は、液晶表示部２０に入力され、液晶表示部２０には、同映像信号に基づく映像が表示される。
【００１７】
一方、ＦＭラジオ放送の受信中には、金属ケ−ス２０ｂから受信したＦＭラジオ放送電波は、アンテナ端子２２を介して、ラジオ部を構成するＦＭチュ−ナ２５ａに供給される。ＦＭチュ−ナ２５ａでは、図１に示した選局スイッチ１２の操作に基づいて出力されるマイクロコンピュ−タ２３からの選局制御信号を受けて、同操作に対応する周波数帯の放送電波を抽出する。ＦＭチュ−ナ２５ａの出力は、ラジオ部２５を構成する音声再生回路２５ｂに供給される。音声再生回路２５ｂは、復調回路、増幅回路等を含み、ＦＭチュ−ナ２５ａから入力された音声信号に対して各種の処理を行う。音声再生回路２５ｂにて処理が行われた音声信号は、スピ−カ１６に入力され、スピ−カ１６には、同音声信号に基づく音声が出力される。
【００１８】
上述したテレビチュ−ナ２４ａおよび映像再生回路２４ｂからなるテレビ部２４、並びに、ＦＭチュ−ナ２５ａおよび音声再生回路２５ｂからなるラジオ部２５ｂは、それぞれマイクロコンピュ−タ２３に接続されている。マイクロコンピュ−タ２３は、ＣＰＵ、ＲＯＭ、ＲＡＭ等を具備し、スイッチ部１５の操作に応じてテレビ部２４およびラジオ部２４の動作を主導的に制御する。具体的には、例えば、チュ−ナ切替スイッチ１３が、テレビからラジオに切り替えられたことを受けて、受信されたＦＭラジオ放送電波がＦＭチュ−ナに入力されるように切り替えるとともに、同放送電波に基づく音声をスピ−カ１６に出力させるための各種の処理をラジオ部２５に行わせる。
【００１９】
図３は、図２に示した液晶表示部を模式的に示す分解斜視図である。同図において、液晶表示部２０は、液晶パネル２０ａと、金属ケ−ス２０ｂと、裏面シャ−シ２０ｃと、絶縁シ−ト２０ｄとからなる。液晶パネル２０ａは、液晶とスペ−サとからなる液晶層、透明電極、Ｒ、Ｇ、Ｂの３色のカラ−フィルタ、偏光板およびバックライト等を具備する構成となっている。金属ケ−スは、液晶パネル２０ａの周面を覆うように設けられ、また、液晶パネル２０ａに表示される画像を前方より視認可能とするための窓部がケ−スされている。この金属ケ−ス２０ｂは、上述したアンテナ端子２２と接続され、放送電波を受信するアンテナとして機能する。
【００２０】
また、裏面シャ−シ２０ｃは、金属製であり、液晶パネル２０ａの裏側（図３においては上側）に設けられる。裏面シャ−シ２０ｃの左右両側部には、絶縁シ−ト２０ｄが設けられる。この絶縁シ−ト２０ｄは、液晶表示部２０が組み立てられたときに、裏面シャ−シ２０ｃの左右両側部と、金属ケ−ス２０ｂの内側の左右両側部との間に介装されるものであり、裏面シャ−シ２０ｃと金属ケ−ス２０ｂとを絶縁するためのものである。この絶縁シ−ト２０ｄが介装され、金属ケ−ス２０ｂと裏面シャ−シ２０ｃとが絶縁されることにより、アンテナ端子２２と接続された金属ケ−ス２０ｂのみがアンテナとしての機能を有することとなる。
【００２１】
図４は、アンテナ端子２２が金属ケ−ス２０ｂに接続されている様子を示す斜視図である。同図において、液晶表示部２０の裏面シャ−シ２０ｃには、回路基板３１、３２が設けられている。この回路基板３１、３２には、図２に示した各部、各回路が配設される。また、回路基板３１には、図２に示したアンテナ端子２２が設けられており、このアンテナ端子２２は、リ−ド線２７を介して金属ケ−ス２０ｂと接続されている。具体的には、アンテナ端子２２に接続されたリ−ド線２７の端部が取付金具２８により金属ケ−ス２０ｂの周面に固定されている。また、図３に示したように、金属ケ−ス２０ｂは、絶縁シ−ト２０ｄにより金属製の裏面シャ−シ２０ｃと絶縁されている。これにより、アンテナ端子２２と接続された金属ケ−ス２０ｂのみがアンテナとして機能する。
【００２２】
図５は、アンテナとして機能する金属ケ−スが設けられた液晶表示部の指向性を示す正面図であり、図６は、図５に示した液晶表示部の側面図である。図５、図６に示すように、第１実施形態にかかるラジオ付液晶表示装置１０では、液晶表示部２０の周囲の全方向に指向性を有することとなる。すなわち、液晶表示部２０の周囲のいずれの方向からの放送電波に対しても良好な受信感度を実現することが可能となる。
【００２３】
（３）第２実施形態：
以下に説明する第２実施形態では、液晶表示部を構成する金属ケ−スと裏面シャ−シとが絶縁されていない構成としてある。
図７は、第２実施形態にかかるラジオ付液晶表示装置が具備する液晶表示部を模式的に示す分解斜視図であり、図８は、図７に示した液晶表示部の側部の指向性を示す図である。図７では、図３に示した絶縁シ−ト２０ｄが省略されている。これにより、液晶表示部２０が組み立てられた際に、金属ケ−ス２０ｄと金属製の裏面シャ−シ２０ｃとが接することとなる。その結果、図４と同様に、アンテナ端子２２が金属ケ−ス２０ｄに接続された場合には、金属ケ−ス２０ｄと、金属ケ−ス２０ｄと接する裏面シャ−シ２０ｃとの両方がアンテナとして機能することとなる。金属ケ−ス２０ｃに加えて裏面シャ−シ２０ｃがアンテナとしての機能を有することにより、図８に示すように、液晶表示部２０の後方部分に指向性を持たせることが可能となる。
【００２４】
（４）各種変形例：
上述した実施形態では、アンテナ端子に接続されたリ−ド線を、取付金具を用いて金属ケ−スの周面に固定することによりアンテナ端子を金属ケ−スと接続する場合について説明したが、本発明において、アンテナ端子と金属ケ−スとの取り付け方法については特に限定されるものではなく、例えば、アンテナ端子に接続されたリ−ド線を半田により金属ケ−スの周面に固定する方法を用いてもよい。
【００２５】
また、実施形態では、ラジオ部が、ＦＭラジオ放送電波に基づく音声信号を生成するものである場合について説明したが、上記ラジオ部は、ＡＭ放送電波に基づく音声信号を生成可能なように構成されていてもよく、ＦＭラジオ放送電波とＡＭ放送電波の両方に対応しているものであってもよい。
【００２６】
以上説明したように、実施形態にかかるラジオ付液晶表示装置１０によれば、アンテナ端子２２に接続されたリ−ド線２７の先端部が、取付金具２８により金属ケ−ス２０ｃの周面に固定されることにより、アンテナ端子２２と金属ケ−ス２０ｃとが接続されているため、金属ケ−ス２０ｃによりテレビジョン放送電波やＦＭラジオ放送電波を受信することができる。すなわち、金属ケ−ス２０ｃをアンテナとして代用することが可能となるのである。さらに、金属ケ−ス２０ｃは、液晶パネル２０ａの周面全体に設けられているため、液晶パネル２０ａの周囲の全方向に指向性を持たせることが可能となる。その結果、あらゆる方向からの放送電波に対して受信感度が良好となる。
【図面の簡単な説明】
【００２７】
【図１】第１実施形態にかかるラジオ付液晶表示装置を示す外観図である。
【図２】ラジオ付液晶表示装置の概略構成を示すブロック図である。
【図３】液晶表示部を模式的に示す分解斜視図である。
【図４】アンテナ端子が金属ケ−スに接続されている様子を示す斜視図である。
【図５】液晶表示部の指向性を示す正面図である。
【図６】図５に示した液晶表示部の側面図である。
【図７】第２実施形態にかかるラジオ付液晶表示装置の液晶表示部を模式的に示す分解斜視図である。
【図８】図７に示した液晶表示部の側部の指向性を示す図である。
【符号の説明】
【００２８】
１０…ラジオ付液晶表示装置
１１…表示画面
１２…選局スイッチ
１３…チュ−ナ切替スイッチ
１４…ボリュ−ムスイッチ
１５…スイッチ部
２０…液晶表示部
２０ａ…液晶パネル
２０ｂ…金属ケ−ス
２０ｃ…裏面シャ−シ
２２…アンテナ端子
２３…マイクロコンピュ−タ
２４…テレビ部
２４ａ…テレビチュ−ナ
２４ｂ…映像再生回路
２５…ラジオ部
２５ａ…ＦＭチュ−ナ
２５ｂ…音声再生回路
２７…リ−ド線
２８…取付金具
【図１】
2006093847.tif 000003
【図２】
2006093847.tif 000004
【図３】
2006093847.tif 000005
【図４】
2006093847.tif 000006
【図５】
2006093847.tif 000007
【図６】
2006093847.tif 000008
【図７】
2006093847.tif 000009
【図８】
2006093847.tif 000010